(57)【要約】【課題】スピーカユニットを目立たなくすることで、表示装置の見た目を改善する。【解決手段】音響装置（１４）は、表示画面（１１３）の前方向に音声を出力する全帯域スピーカユニット（１０１）と、音声の低音成分を出力する低音域スピーカユニット（２０１）とを備え、低音域スピーカユニット（２０１）は、全帯域スピーカユニット（１０１）と異なる方向を向いている。【選択図】図１
2018046526.tif 000002
【特許請求の範囲】
【請求項１】
表示装置の表示画面の外側に配置される第１のスピーカユニットおよび第２のスピーカユニットを備え、複数チャンネルの音声を出力する音響装置であって、
前記第２のスピーカユニットは、前記第１のスピーカユニットが出力する音声の低音成分を出力し、
前記第１のスピーカユニットおよび前記第２のスピーカユニットは、互いに異なる方向を向くように設けられていることを特徴とする音響装置。
【請求項２】
前記第２のスピーカユニットは、当該音響装置から離れた場所にある仮想的な音源が生成する音場に対応する第２の音声をさらに出力することを特徴とする請求項１に記載の音響装置。
【請求項３】
前記第２のスピーカユニットのうちの少なくとも１つはバス・レフレックス型であり、前記バス・レフレックス型の第２のスピーカユニットの背後から出力される音声が、前記第１のスピーカユニットから出力される音声と同じ方向に出力されることを特徴とする、請求項１または２に記載の音響装置。
【請求項４】
前記複数チャンネルは、三次元マルチチャンネル音響方式に則っていることを特徴とする請求項１から３のいずれか１項に記載の音響装置。
【請求項５】
前記第１のスピーカユニットは、前記表示画面の前方向に音声を出力し、
前記第２のスピーカユニットは、前記表示画面の上下左右の方向のうち少なくともいずれか１つの方向に、前記音声の低音成分を出力することを特徴とする請求項１から４のいずれか１項に記載の音響装置。
【請求項６】
所定の周波数以下の音声を出力する場合、該所定の周波数を超える音声を出力する場合よりも多くの第２のスピーカユニットを用いて、音声を出力することを特徴とする請求項１から５のいずれか１項に記載の音響装置。
【請求項７】
請求項１から６のいずれか１項に記載の音響装置と、前記表示画面とを備えたことを特徴とする表示装置。
【請求項８】
請求項７に記載の表示装置を備えていることを特徴とするテレビジョン受像機。
【発明の詳細な説明】
【技術分野】
【０００１】
本発明は、音響装置、表示装置、およびテレビジョン受像機に関し、例えば、三次元マルチチャンネル音響方式に対応する音響装置に関する。
【背景技術】
【０００２】
従来、映像コンテンツの技術分野等において、映像に伴って出力される音声の臨場感を向上させるために、マルチチャンネル音響方式が利用されている。例えば、放送や光ディスク等の記録メディア、ネットワーク等を経由して、５．１ｃｈや７．１ｃｈの音声を配信するサービスがある。マルチチャンネル音響方式は、受聴者の周囲に位置付けられた複数の音響チャンネルを含んでおり、複数の音響チャンネルに、受聴者の背後に位置する音像や、受聴者の周囲を移動する音像を含ませることができる。５．１ｃｈや７．１ｃｈのマルチチャンネル音響方式が有名であるが、近年では、受聴者の周囲に位置する音響チャンネルに加えて、受聴者の上方や下方に位置する音響チャンネルをさらに含んだ、三次元マルチチャンネル音響方式が提案されている。例えば、２２．２ｃｈの三次元マルチチャンネル音響方式は、ARIB STD-B59に規定されているように、受聴者を三次元的に取り囲むように位置づけられた２２（全帯域）＋２（低音域）個の音響チャンネルを含む。
【０００３】
図８の（ａ）〜（ｄ）は、２２．２ｃｈの三次元マルチチャンネル音響方式の一構成例を示す。図８（ａ）に示すように、三次元空間が、受聴者の位置を基準として、３層に分割される。受聴者の上方の層をトップ層、受聴者の周囲の層をミドル層、受聴者の下方の層をボトム層と呼ぶ。図８の（ｂ）〜（ｄ）に示すように、２２．２ｃｈの三次元マルチチャンネル音響方式には、トップ層に９点、ミドル層に１０点、およびボトム層に３点の音響チャンネルが、それぞれ含まれる。
【０００４】
三次元マルチチャンネル音響方式に対応する音響装置は、複数個のスピーカユニットを備えており、１または複数個のスピーカユニットから、図８の（ｂ）〜（ｄ）に示す複数の音響チャンネルの音声信号を再生する。音響装置を構成するスピーカユニットの一部は、表示装置に組み込まれる場合がある。例えば、２２．２ｃｈの三次元マルチチャンネル音響方式に対応する音響装置では、受聴者の前方に位置する１１チャンネルに対応する複数個のスピーカユニットが、表示装置に組み込まれる場合が多い。
【０００５】
図９は、表示装置上における１１チャンネルの位置を示す図である。図９に示すように、１１チャンネルのうちの３つの音響チャンネル（図９のＦＬｃ・ＦＣ・ＦＲｃ）は、表示装置の表示画面内に位置する。これらの音響チャンネルに対応するスピーカユニットを、表示画面内に配置することはできない。そこで、図９に示すように、ＦＬｃ、ＦＣ、ＦＲｃの各音響チャンネルを、表示画面の上側および下側に位置する２つの音響チャンネル（図９のUpper LcとLower Lc、Upper CとLower C、Upper RcとLower Rc）にそれぞれ分割する構成が考えられる。上記の構成では、表示画面内には音響チャンネルが存在しなくなるので、各音響チャンネルの位置に、スピーカユニットをそれぞれ配置することができる。
【０００６】
図１０は、従来の音響装置９１４を備えた表示装置９の正面図である。図１０に示すように、音響装置９１４を構成するスピーカユニット（の一部）は、表示装置９の表示画面９１３の周囲に取り付けられている。表示画面９１３の周囲には、図９に示す複数の音響チャンネルに対応する、合計１２個のスピーカユニット９０１〜９１２が配置されている。
【先行技術文献】
【特許文献】
【０００７】
【特許文献１】特開平１０−３０４４９０号公報（１９９８年１１月１３日公開）
【特許文献２】特開２００８−１０９２０９号公報（２００８年５月８日公開）
【非特許文献】
【０００８】
【非特許文献１】「三次元マルチチャンネル音響方式スタジオ規格（THREE-DIMENSIONAL MULTICHANNEL STEREOPHONIC SOUND SYSTEM FOR PROGRAMME PRODUCTION）  標準規格  ARIB STD-B59」（一般社団法人  電波産業会  ２０１６年７月６日  改定）
【非特許文献２】12-Loudspeaker System for Three-Dimensional Sound Integrated with Flat-Panel Display  Satoshi Oode, Kentaro Matsui, Satoshi Ooishi,Takehiro Sugimoto, and Yasushige Nakayama, Japan Broadcasting Corporation (NHK) NAB Broadcast Engineering Conference Proceedings 2014... 184-189
【発明の概要】
【発明が解決しようとする課題】
【０００９】
図１０に示す音響装置９１４は、重量やデザイン等の観点で、スピーカユニット９０１〜９１２の口径を小さくすることが望まれる。しかしながら、スピーカユニット９０１〜９１２の口径を小さくした場合、スピーカユニット９０１〜９１２が低音域の音声を再生する能力が低下する。そこで、音響装置９１４は、サブスピーカユニット（ウーファ・サブウーファ等）から低音域の音声を再生する２ｗａｙ構成とすることが考えられる。しかしながら、音響装置９１４が、サブウーファをさらに備える場合、表示装置９の表示画面側に設けられるスピーカユニットの数、つまり受聴者から見えるスピーカユニットの数が増大するので、表示装置９の見た目を損ねるという問題がある。
【００１０】
本発明は、前記の問題点に鑑みてなされたものであり、その目的は、表示装置に設けられるスピーカユニットを備えた音響装置において、スピーカユニットを目立たなくすることで、表示装置の見た目を改善することにある。
【課題を解決するための手段】
【００１１】
上記の課題を解決するために、本発明の一態様に係る音響装置は、表示装置の表示画面の外側に配置される第１のスピーカユニットおよび第２のスピーカユニットを備え、複数チャンネルの音声を出力する音響装置であって、前記第２のスピーカユニットは、前記第１のスピーカユニットが出力する音声の低音成分を出力し、前記第１のスピーカユニットおよび前記第２のスピーカユニットは、互いに異なる方向を向くように設けられている。
【発明の効果】
【００１２】
本発明の一態様によれば、スピーカユニットを目立たなくすることで、表示装置の見た目を改善することができる。
【図面の簡単な説明】
【００１３】
【図１】実施形態１に係る表示装置の正面図である。
【図２】実施形態１に係る表示装置の構成を示すブロック図である。
【図３】実施形態１に係る表示装置の音響装置が備えた信号処理部の構成を示すブロック図である。
【図４】実施形態２に係る表示装置の構成を示すブロック図である。
【図５】実施形態３に係る表示装置の正面図である。
【図６】実施形態４に係る表示装置の正面図である。
【図７】実施形態５に係る表示装置の正面図である。
【図８】（ａ）は、２２．２ｃｈの三次元マルチチャンネル音響方式において、各音響チャンネルが位置付けられるトップ層、ミドル層、およびボトム層を示す図であり、（ｂ）は、ミドル層における音響チャンネルを示し、（ｃ）は、トップ層における音響チャンネルを示し、（ｄ）は、ボトム層における音響チャンネルを示す。
【図９】２２．２ｃｈの三次元マルチチャンネル音響方式において、受聴者の前方に位置付けられる複数の音響チャンネルの位置を示す図である。
【図１０】従来の表示装置の正面図である。
【発明を実施するための形態】
【００１４】
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。なお、下記の説明において、「音声」とは、音響製品で取り扱われる音声全般であり、人の声および背景音、楽音を含む。
【００１５】
〔実施形態１〕
以下、本発明の一実施形態について、図１〜図３を用いて詳細に説明する。
【００１６】
（表示装置の外観）
図１は、本実施形態に係る表示装置１の正面図である。図１に示すように、表示装置１の表示画面１１３の周囲には、音響装置１４を構成する複数のスピーカユニット１０１〜１１２、２０１〜２１２が取り付けられている。音響装置１４は、三次元マルチチャンネル音響方式に対応しており、複数のスピーカユニット１０１〜１１２、２０１〜２１２によって、例えば、受聴者の前方に位置する音像（つまり、定位された音源が生成する音場）や、表示装置１の周囲を移動する音像を再生することができる。なお、音響装置１４は、表示装置１に取り付けられていない他のスピーカユニットをさらに備えていてもよい。
【００１７】
音響装置１４の第１のスピーカユニット１０１〜１１２は、振動板が表示画面１１３の前方向を向くように、つまり音声を前方向に出力するように配置されている。また、音響装置１４の第２のスピーカユニット２０１〜２１２は、振動板が表示画面１１３の面方向を向くように、つまり音声を横方向に出力するように配置されている。なお、第２のスピーカユニット２０１〜２１２のうちの少なくとも１つは、バス・レフレックス型であってよい。この構成では、バス・レフレックス型の第２のスピーカユニット２０１〜２１２は、第１のスピーカユニット１０１〜１１２と同じ方向、つまり前方向にも、音声を出力する。
【００１８】
第１のスピーカユニット１０１〜１１２は、全帯域（低音域から高音域まで）の音声信号を再生する。一方、第２のスピーカユニット２０１〜２１２は、低音域の音声信号を特に好適に再生するように設計されている。より詳細には、第２のスピーカユニット２０１〜２１２は、第１のスピーカユニット１０１〜１１２と比較して、最小共振周波数が低くなるように設計されている。例えば、第２のスピーカユニット２０１〜２１２は、第１のスピーカユニット１０１〜１１２と比較して、口径が大きく設計されていたり、振動板の重量が大きく設計されていたりしてよい。後で詳細に説明するように、スピーカユニット２０１〜２１２は、スピーカユニット１０１〜１１２が出力する音声の低音成分を出力する。また、スピーカユニット２０１〜２１２は、受聴者の横や後ろに定位する音源が生成する音場を、サラウンド音声としてさらに再生する。以下では、スピーカユニット１０１〜１１２を全帯域スピーカユニット１０１〜１１２または単にスピーカユニット１０１〜１１２と呼び、スピーカユニット２０１〜２１２を低音域スピーカユニット２０１〜２１２と呼ぶ。
【００１９】
図１に示すように、表示装置１を正面から見たとき、低音域スピーカユニット２０１〜２１２は、隣り合う２つの全帯域スピーカユニット１０１〜１１２の間に、それぞれ配置されている。表示装置１の前にいる受聴者から、低音域スピーカユニット２０１〜２１２はほとんど見えない。そのため、受聴者から見ると、表示装置１は、表示画面１１３の周囲に取り付けられたスピーカユニットの数が少ないように見えるので、受聴者は表示装置１をスマートに感じる。また、低音域スピーカユニット２０１〜２１２が目立たない状態を維持したままで、低音域スピーカユニット２０１〜２１２の振動板を大きくしてもよい。これにより、低音域スピーカユニット２０１〜２１２が低音を再生する能力を簡単に向上させることができる。
【００２０】
（表示装置の構成）
図２および図３を用いて、本実施形態に係る表示装置１の構成を説明する。図２は、本実施形態に係る表示装置１の構成を示すブロック図である。また、図３は、表示装置１の音響装置１４が備えた信号処理部１２の構成を示すブロック図である。図２に示すように、表示装置１は、音響装置１４、リモートコントローラ１６、および再生部１７を備えている。
【００２１】
音響装置１４は、２２．２ｃｈの三次元マルチチャンネル音響方式に対応しており、図８の（ｂ）〜（ｄ）に示す複数の音響チャンネルの音声信号を再生することができる。音響装置１４は、入力部１１、信号処理部１２、増幅部１３、全帯域スピーカ部１４Ａ、低音域スピーカ部１４Ｂ、および制御部１５を備えている。音響装置１４は、表示装置１のリモートコントローラ１６から送信される制御信号によって制御される。
【００２２】
制御部１５は、入力部１１、信号処理部１２、および増幅部１３を制御する。制御部１５は、受聴者の操作を受け付ける。また、音響装置１４内の各部に対し、操作に基づく制御信号を伝送し、音響装置１４の全体を制御する。音響装置１４の各部に伝送される制御信号は、入力切替信号や音量調整信号のほか、電源の入切や、音質切り替え、サラウンド処理の入切などであってよい。
【００２３】
再生部１７は、表示装置１が再生するコンテンツの情報から音声信号を抽出して、抽出した音声信号を、入力信号として、音響装置１４の入力部１１に送信する。入力信号は、複数の音響チャンネル（例えば、２２．２ｃｈ）の音声信号を含む。
【００２４】
受聴者がリモートコントローラ１６を操作し、表示装置１の電源を入れたとき、制御部１５は音響装置１４を起動する。制御部１５は、音響装置１４の各部に通電し、動作可能状態となったところで、増幅部１３のミュートを解除する。これにより、音響装置１４が音声を出力可能な状態となる。
【００２５】
音響装置１４の各部が起動すると、入力部１１は、再生部１７から入力信号を受け付ける。入力部１１が受け付ける入力信号のフォーマットは、さまざまであるが、ここでは、入力信号のフォーマットは、ＨＤＭＩ（登録商標）２．０を用いた２２．２チャンネルの音声信号とする。
【００２６】
入力部１１は、有線または無線の任意の手段（例えば、ＨＤＭＩケーブル、またはアナログピンコネクタ）を用いて、表示装置１の再生部１７から、複数の音響チャンネルの音声信号を含んだ入力信号を受信する。ＨＤＭＩケーブルを用いる場合は、映像信号と音声信号が重畳される。入力部１１は、音声信号を抽出する。映像信号は表示デバイス（図示せず）に出力される。入力部１１は、表示デバイスからＨＤＭＩケーブルを経由して音声信号のみ受信してもよい。
【００２７】
入力部１１は、入力信号を適切なディジタル信号に変換して、該ディジタル信号を信号処理部１２に出力する。例えば、信号処理に用いる標本化周波数が４８ｋＨｚに設定されている場合、入力部１１は、入力信号の標本化周波数を４８ｋＨｚに変換する。また、入力部１１は、アナログ信号の入力信号を受け付けた場合、Ａ／Ｄ変換により、アナログ信号を、ディジタル信号に変換する。入力部１１は、入力信号がない場合、標本化周波数４８ｋＨｚの音声信号を、無音信号（音声データのない音声信号）として、信号処理部１２に出力してもよい。
【００２８】
入力部１１は、入力信号を信号処理部１２に出力する。信号処理部１２は、入力部１１から入力された入力信号に対し、後述する処理を行い、処理の結果として得られる全帯域スピーカ信号および低音域スピーカ信号を、増幅部１３に出力する。
【００２９】
増幅部１３は、信号処理部１２で処理された全帯域スピーカ信号および低音域スピーカ信号を、増幅して、全帯域スピーカ部１４Ａおよび低音域スピーカ部１４Ｂに出力する。信号処理部１２から増幅部１３へ伝送される音声信号は、ディジタル信号であるが、増幅部１３から全帯域スピーカ部１４Ａおよび低音域スピーカ部１４Ｂへ出力される出力信号は、アナログ信号である。増幅部１３は、まず、Ｄ／Ａコンバータを用いて、ディジタル信号をアナログ信号に変換し、その後、入力信号を増幅する。増幅部１３は、増幅した音声信号を、出力信号として、全帯域スピーカ部１４Ａおよび低音域スピーカ部１４Ｂに出力する。あるいは、増幅部１３は、ディジタル信号を増幅した後で、スイッチング動作により、該ディジタル信号をアナログ信号に変換してもよい。
【００３０】
全帯域スピーカ部１４Ａは、主に中高音域を再生するための１２個の全帯域スピーカユニット１０１〜１１２（図１参照）で構成される。低音域スピーカ部１４Ｂは、主に低音域を再生するための１２個の低音域スピーカユニット２０１〜２１２（図１参照）で構成される。ここで、全帯域スピーカユニット１０１〜１１２は、非特許文献２に提示された配置をとる。低音域スピーカユニット２０１〜２１２は、全帯域スピーカユニット１０１〜１１２の各々の近傍に配置される。各低音域スピーカユニットは、全帯域スピーカユニットのなるべく近くに配置されていることが好ましい。この構成では、１つの全帯域スピーカユニットと１つの低音域スピーカユニットとを含む組に対し、広い周波数帯域にわたって、全帯域スピーカユニットの近傍に、音像を提示することができる。人間には、音声の周波数が低く、つまり音声の波長が長くなると、音像の定位を感じにくくなるという特性がある。そこで、音響装置１４は、所定の周波数（たとえば８０Ｈｚ）以下の周波数の音声を出力する場合、所定の周波数を超える周波数の音声を出力する場合よりも多くの低音域スピーカユニットを用いて、音声を出力してもよい。あるいは、音響装置１４にさらに設けた低音域用スピーカユニット（サブウーファ）で再生してもよい。これらにより、音響装置１４の低音の再生能力をさらに高めることができる。
【００３１】
全帯域スピーカユニット１０１〜１１２は、増幅部１３から入力された全帯域スピーカ信号を再生する。また、低音域スピーカユニット２０１〜２１２は、増幅部１３から入力された低音域スピーカ信号を再生する。全帯域スピーカユニット１０１〜１１２から出力された音声は、受聴者の耳に直接入る。一方、低音域スピーカユニット２０１〜２１２から出力された音声は、表示装置１が置かれた部屋の壁等によって拡散された後、拡散音声として、受聴者の耳に入る。そのため、受聴者には、拡散音声が部屋内で広がっているように感じる。拡散音声の聞こえ方は、部屋の特性によって異なる（実施形態２参照）。
【００３２】
なお、全帯域スピーカユニット１０１〜１１２と、低音域スピーカユニット２０１〜２１２とに対し、互いに異なる増幅部１３を対応させてもよい。一般的に、低音域スピーカユニット２０１〜２１２は、音圧等に対する耐性が高く、かつ駆動電力も大きい。そのため、低音域スピーカユニット２０１〜２１２に対しては、強力な増幅部１３を設け、全帯域スピーカユニット１０１〜１１２に対しては、標準の増幅部１３を設けてもよい。全帯域スピーカユニット１０１〜１１２に対しては、強力な増幅部１３を設けないことにより、増幅部１３のコストを抑制することができる。
【００３３】
（信号処理部）
図３に示すように、音響装置１４の信号処理部１２は、音量調整部１２１、フィルタ部１２２、サラウンド処理部１２３、およびミックス部１２４を含む。
【００３４】
音量調整部１２１は、入力信号のレベル（音量）を調整する。音量調整部１２１は、入力信号と、制御部１５で設定された設定音量に対応する係数とをかけ合わせることで、受聴者の設定音量を、入力信号に反映させる。レベル調整された入力信号は、受聴者の前方に位置する１１個の音源の音声信号と、それ以外の１１個の音源の音声信号に分離される。
【００３５】
音量調整部１２１は、入力部１１から信号処理部１２に入力された入力信号のレベルを調整する。また、音量調整部１２１は、入力信号に含まれる複数の音響チャンネルの音声信号のうち、表示画面１１３上に位置付けられる１１チャンネル（図８の（ｂ）〜（ｄ）に示す、ＴｐＦＬ，ＴｐＦＣ，ＴｐＦＲ，ＦＬ，ＦＬｃ，ＦＣ，ＦＲｃ，ＦＲ，ＢｔＦＬ，ＢｔＦＣ，ＢｔＦＲ）の音声信号を、フィルタ部１２２に出力する。また、音量調整部１２１は、他の１１チャンネル（図８の（ｂ）〜（ｄ）に示す、ＢＬ，ＢＲ，ＢＣ，ＳｉＬ，ＳｉＲ，ＴｐＣ，ＴｐＢＬ，ＴｐＢＲ，ＴｐＳｉＬ，ＴｐＳｉＲ，ＴｐＢＣ）の音声信号を、サラウンド処理部１２３に出力する。
【００３６】
フィルタ部１２２は、表示画面１１３上に位置付けられる１１チャンネル（図８の（ｂ）〜（ｄ）に示す、ＴｐＦＬ，ＴｐＦＣ，ＴｐＦＲ，ＦＬ，ＦＬｃ，ＦＣ，ＦＲｃ，ＦＲ，ＢｔＦＬ，ＢｔＦＣ，ＢｔＦＲ）の音声信号に対して、帯域制限のフィルタ処理を行う。つまり、フィルタ部１２２は、所定の周波数帯域の音声信号のみを通過させる。また、フィルタ部１２２は、低音に特化した２チャンネルの音声信号に対しても、上記１１チャンネルと同じフィルタ処理を行ってもよい。あるいは、フィルタ部１２２は、低音に特化した２チャンネルの音声信号には、フィルタ処理を行わなくてもよい。この構成では、上記２チャンネルの音声信号は、フィルタ処理を行われずに、上記１１チャンネルの音声信号に加算される。
【００３７】
具体的には、フィルタ部１２２は、音量調整部１２１から入力される音声信号を、低音域の音声信号と、それ以外の帯域の音声信号とに分割する。例えば、低音域スピーカユニットが受け持つ帯域が２００Ｈｚ以下である場合、フィルタ部１２２は、全帯域スピーカユニットに出力する音声信号に対し、２００Ｈｚをカットオフ周波数とするハイパスフィルタ（ＨＰＦ）をかける。また、フィルタ部１２２は、低音域スピーカユニットに出力する音声信号に対し、２００Ｈｚをカットオフ周波数とするローパスフィルタ（ＬＰＦ）をかける。さらに、フィルタ部１２２は、低音域スピーカ用信号から、低音域スピーカユニットが再生できない極低音域の音声信号をカットしてもよい。例えば、フィルタ部１２２は、５０Ｈｚをカットオフ周波数とするＨＰＦを、ＬＰＦから出力される低音域スピーカ用信号にかけてもよい。さらに、フィルタ部１２２は、スピーカユニット１０１〜１１２の再生周波数特性を補正してもよい。フィルタ部１２２は、ＨＰＦからの出力を、全帯域スピーカ信号として、増幅部１３に出力するとともに、ＬＰＦからの出力を、低音域スピーカ用信号として、ミックス部１２４に出力する。
【００３８】
全帯域スピーカユニットが再生する全帯域スピーカ信号は、帯域制限されているので、全帯域スピーカユニットに過大な入力が入ることを避けることができる。また、全帯域スピーカユニットの振動板のストローク量が減少するため、全帯域スピーカユニットの歪を抑制することができ、また全帯域スピーカユニットの消費電力を削減することもできる。したがって、全帯域スピーカユニットは、より安定して音声を再生することができる。
【００３９】
サラウンド処理部１２３は、表示画面１１３上に位置付けられない１１チャンネル（図８の（ｂ）〜（ｄ）に示す、ＢＬ，ＢＲ，ＢＣ，ＳｉＬ，ＳｉＲ，ＴｐＣ，ＴｐＢＬ，ＴｐＢＲ，ＴｐＳｉＬ，ＴｐＳｉＲ，ＴｐＢＣ）の音声信号に対して、擬似的なバーチャルサラウンド処理を行うことにより、サラウンド音声信号を生成する。バーチャルサラウンド処理とは、スピーカユニットが存在しない位置に定位された音源から音声が発せられたかのように受聴者に知覚させるための処理のことである。
【００４０】
具体的には、バーチャルサラウンド処理では、サラウンド処理部は、音量調整部から入力される音声信号に対し、頭部伝達関数（ＨＲＴＦ）を模した関数を用いて、フィルタ処理を行う。ＨＲＴＦは、仮想的な音源の位置から、受聴者の耳道に到るまでの音声の経路の特性（例えば、人間の頭部、肩、および耳介などの形状）が、受聴者に聞こえる音声に与える影響を、音声信号に反映させるために使用される。ＨＲＴＦは、受聴者の装着したヘッドホンによってサラウンド音声信号が再生されることを想定して作成されている（バイノーラル方式）。サラウンド処理部は、サラウンド音声信号がスピーカユニットで再生された場合に、受聴者がヘッドホンを装着して音声を聞く場合と同じ音声を聞くことができるように、音声信号をフィルタ処理する（トランスオーラル方式）。例えば、サラウンド処理は、音声信号に対し、受聴者の右側のスピーカユニットから受聴者の左耳に届く音、および、受聴者の左側のスピーカから受聴者の右耳に届く音を予め除去する逆フィルタ処理を行うことによって実現する。この逆フィルタ処理は、一般的にクロストークキャンセルと称される。
【００４１】
一般的に、上記のようなバーチャルサラウンド処理は、演算量が多いため、音響装置１４のハードウェアコストが高くなる。また、逆フィルタが有効であり、かつ、受聴者がバーチャルサラウンド効果を感じることができる場所の範囲は狭く、かつ逆フィルタ処理を施した音声は、再生環境の変化に影響を受けやすいという特徴がある。そこで、サラウンド処理部１２３は、擬似的なバーチャルサラウンド処理として、ＨＲＴＦを畳み込んだ音声信号を再生してもよいし、ＨＲＴＦを解析し、特定の方向の定位に必要な音声信号の特徴のみを用いて、音声信号に対し、簡易な周波数フィルタ処理を行ってもよい。
【００４２】
加えて、サラウンド処理部１２３は、生成したサラウンド音声信号に対し、信号レベルの調整、遅延の設定、周波数特性の補正などを行ってもよい。サラウンド音声信号は、受聴者から等距離にある複数のスピーカユニットから再生されることを前提に生成される。サラウンド音声信号を再生する複数のスピーカユニットが受聴者から等距離にない場合、サラウンド処理部１２３は、サラウンド音声信号に対し、距離差に応じた遅延処理や、距離減衰に応じたレベル補正処理等を行う。
【００４３】
ミックス部１２４は、フィルタ部１２２から、表示画面１１３上に位置付けられる１１チャンネルの音声信号と、低音に特化した２チャンネルの音声信号とを取得する。ミックス部１２４は、音響装置１４における全帯域スピーカユニットおよび低音域スピーカユニットの配列に応じて、取得した１１＋２チャンネルの音声信号をミックスする。また、ミックス部１２４は、ミックスされた音声信号に、サラウンド処理部１２３から入力された音声信号を加算することにより、低音域スピーカユニット２０１〜２１２が再生する低音域スピーカ信号を生成する。ミックス部１２４は、生成した低音域スピーカ信号を、増幅部１３に出力する。
【００４４】
（スピーカユニットの構成）
全帯域スピーカユニットは、可聴帯域の音声を再生可能であるように設計されているが、現実的には、スピーカユニットの高音域の再生能力と低音域の再生能力とは、トレードオフの関係にある。一般的に、スピーカユニットは、高音域の再生能力を充実すると、低音域の再生能力が劣り、低音域の再生能力を充実すると、高音域の再生能力が劣る傾向にある。また、スピーカユニットは、口径を大きくすると、低音の再生に有利になるが、高音の再生には不利になり、口径を小さくするとその逆になる傾向がある。スピーカユニットは、口径が大きいほど、大量の空気を動かすことができるので、高い音圧を発生させる傾向もある。
【００４５】
一方、表示装置としてのテレビやその周辺機器に、全帯域スピーカユニットを設ける場合、デザインや重量の制約から、全帯域スピーカユニットとして、小口径のスピーカユニットを選択せざるを得ないのが一般的である。しかしながら、小口径の全帯域スピーカユニットは、低音域の再生能力の面で不利になる。また、小口径の全帯域スピーカユニットに高い音圧の低音を出力させた場合、振動板が大きく変位するので、全帯域スピーカユニットに大きな歪を発生したり、全帯域スピーカユニットを破損したりする可能性が高くなる。
【００４６】
そこで、前述したように、信号処理部１２は、全帯域スピーカユニットに出力する音声信号（出力信号）から、一定の周波数以下の音声信号を減衰させる。低音域スピーカユニットが、全帯域スピーカユニットの代わりに低音を再生する。一般的に、低音は波長が長いため、回折しやすい特徴を持つ。そのため、受聴者は、低音域スピーカユニットから出力される低音が、全帯域スピーカユニットから出力されているように感じる。そのため、音響装置１４は、広い帯域で、全帯域スピーカユニット上またはその近傍に定位させた音源が生成する音場を再生することができる。また、全帯域スピーカユニットは、主に中高音域の音声を、高い音圧で、無理なく出力することができる。
【００４７】
低音域スピーカユニットは、低音域の音声だけでなく、サラウンド音声も再生する。一般的に、音波の周波数が高くなるにつれて、音波の直進性は高くなる。それゆえ、サラウンド音声は、横方向に直進しながら、部屋の壁や、部屋に置かれた物体によって拡散する。拡散したサラウンド音声は定位しない（つまり、受聴者が音源の位置を判別できない）ので、受聴者はサラウンド音声に包み込まれているように感じる。サラウンド音声は、広範囲に拡散されるため、受聴者は、部屋の広い範囲内で、サラウンド音声に包み込まれる感覚を享受することができる。なお、受聴者の後ろや横の特定位置に定位すべき音像が、特定位置に定位しない場合がある。この場合、受聴者は、音に包み込まれているような感覚を得る。一般的に、受聴者の後ろや横に配置されたスピーカユニットが再生する音声信号は、音に包み込まれている感覚を受聴者にもたらす成分と、特定位置に定位する成分との２種類に分類できる。多くのコンテンツでは、前者が支配的である。受聴者の前方に位置するチャンネルの音声信号に基づく音像は、音響装置の近傍に定位するのに対し、特定位置に定位すべき音像は、定位せずに、音響装置１４から離れた位置にあるように、受聴者に知覚される。これにより、受聴者は、ある程度、音声に包まれている感覚を得ることができる。オブジェクトオーディオと呼ばれる記録音源などでは、包み込まれる感覚をもたらす成分と、特定位置に定位する成分とが、予め分離されている。音響装置１４は、オブジェクトオーディオを再生する場合、音に包み込まれる感覚を受聴者にもたらす成分を低音域スピーカユニットから再生する一方、特定位置に定位する成分を別のスピーカユニットから再生してもよい。この構成では、音響装置１４は、記録音源の制作者の意図により近い音響表現をすることが可能となる。
【００４８】
低音域スピーカユニットが出力するサラウンド音声信号は、必ずしも、音響チャンネルと１対１で対応する必要はない。サラウンド音声信号は、１つの音響チャンネルに対応し、複数のスピーカユニットに再生されてもよい。これにより、音響装置１４は、サラウンド音声を、より広い領域に拡散することができる。
【００４９】
低音域スピーカユニットは、低音再生能力に優れたものであることが好ましい。一般的に、低音の再生能力に優れたスピーカユニットは、高音の再生能力に乏しい。しかしながら、サラウンド音声信号には、必ずしも高音成分が多く含まれているわけではない。また、受聴者は、サラウンド音声信号が主に低音成分のみである場合も、サラウンド音声に包み込まれているかのような感覚を得ることができる。それゆえ、低音スピーカユニットは、高音の再生能力の範囲内で、サラウンド音声信号を再生すればよい。必要であれば、音響装置１４は、サラウンド音声信号の高音成分を再生するためのスピーカユニットをさらに備え、該スピーカユニットが、サラウンド音声信号の高音成分を再生してもよい。あるいは、サラウンド処理部１２３が、サラウンド音声信号の高音成分を強調するイコライザ処理等を行ってもよい。
【００５０】
（変形例）
一変形例では、低音域スピーカユニットは、いわゆるバス・レフレックス型であり、低音域スピーカユニットのバスレフポートが、全帯域スピーカが音声を出力する方向と同じ方向に開口していてもよい。この構成では、低音域スピーカユニットから出力される音声は、バスレフポートから受聴者へ向かって放出されるので、音源を全帯域スピーカユニットにより近い位置に定位させることができる。低音域スピーカユニットのスピーカボックス内には、吸音材を配置してもよい。この構成では、吸音材によって、低音以外を低減することができるので、バスレフポートから放出されるサラウンド音声の拡散が、他の音声を阻害しないようにすることができる。
【００５１】
全帯域スピーカユニットおよび低音域スピーカユニットの減衰周波数は、必ずしも一致する必要はない。例えば、全帯域スピーカユニットへの出力信号には、１５０ＨｚのＨＰＦをかける一方、低音域スピーカユニットへの出力信号には、全帯域スピーカユニットへの出力信号に、２００ＨｚのＬＰＦをかけたものを加えてもよい。この構成では、低音域スピーカユニットが低音域の音声を再生する性能を改善することができる。また、フィルタの次数は高い必要はなく、６ｄＢ／ｏｃｔ程度であってよい。
【００５２】
他の変形例では、再生部１７は、音響装置１４に入力する２２．２ｃｈの音響チャンネルのうち、低音に特化した２チャンネルの音声信号を、低音域スピーカユニットに供給してもよい。上記２チャンネルの音声信号は、低音域スピーカユニットへの出力信号に加算される。この構成では、低音域スピーカユニットは、受聴者の前方に位置する１１チャンネルの音声信号の低音成分と、サラウンド音声信号とともに、低音に特化した２チャンネルの音声信号も再生することができる。また、音響装置１４のスピーカユニットの配列に応じて、上記２チャンネルの音声信号に含まれる音像を定義してもよい。この構成では、低音域スピーカユニットは、比較的周波数が高く、しかも定位に影響がある帯域の音声信号を、良好に再生することができる。これにより、表示装置１は、表示画面１１３に表示する映像と、音響装置１４が出力する音声とをより一致させることができるため、より没入感の高い映像および音声を受聴者に提供することができる。
【００５３】
〔実施形態２〕
本発明の他の実施形態について、図４に基づいて説明すれば、以下のとおりである。なお、説明の便宜上、前記実施形態にて説明した部材と同じ機能を有する部材については、同じ符号を付記し、その説明を省略する。
【００５４】
本実施形態では、表示装置が置かれた部屋の特性に応じて、スピーカユニットから出力される音声を調整する構成を説明する。部屋の特性には、部屋の広さおよび形状、部屋の壁の材料および反射性能、および、部屋に置かれた物体の位置等が含まれる。
【００５５】
（表示装置の構成）
図４を用いて、本実施形態に係る表示装置２の構成を説明する。図４は、本実施形態に係る表示装置２の構成を示すブロック図である。図４に示すように、表示装置２は、前記実施形態１で説明した表示装置１の構成（図２参照）に加えて、測定用マイク１８をさらに備えている。また、本実施形態に係る表示装置２の音響装置２１４は、前記実施形態１で説明した音響装置１４の構成に加えて、測定信号入力部２１および解析部２２をさらに備えている。
【００５６】
測定用マイク１８は、拡散音声、つまり低音域スピーカユニット２０１〜２１２から出力されて、部屋の壁等によって反射された音声を受信する。測定用マイク１８は、受信した拡散音声から生成した音声信号を、入力信号として、測定信号入力部２１に送信する。測定信号入力部２１は、低音域スピーカユニット２０１〜２１２から出力される出力音声の音声信号を取得するとともに、測定用マイク１８が受信した拡散音声の音声信号を取得する。測定信号入力部２１は、取得した２つの音声信号を、解析部２２に出力する。解析部２２は、測定信号入力部２１から入力された２つの音声信号を解析し、解析結果を制御部１５に出力する。
【００５７】
（キャリブレーション）
受聴者は、音響装置２１４の設置後、初回起動時にスピーカユニットの調整を行う。具体的には、受聴者は、受聴位置に測定用マイク１８を設置し、リモートコントローラ１６を操作することにより、音響装置２１４をスピーカ調整モードにする。スピーカ調整モードでは、制御部１５は、入力部１１に対し、測定信号を出力する。測定信号は、スピーカユニットや部屋の周波数特性、遅延時間などが測定できる信号であればよい。測定信号は、例えば、タイムストレッチトパルス、Ｍ系列信号など、インパルス応答が得られる信号であることが好ましい。測定信号は、入力部１１、信号処理部１２、増幅部１３を経由して、低音域スピーカ部１４Ｂから出力される。出力された測定信号は、設置された環境の影響を受け、拡散されたのち、測定用マイク１８で集音され、測定信号入力部２１に入力される。
【００５８】
測定信号入力部２１では、測定用マイク１８で集音された測定信号を、適切なレベルに増幅するとともに、Ａ／Ｄ変換する。また、制御部１５からの測定トリガに基づいて、適切な時間範囲の測定信号を切り出して、切り出した測定信号を解析部２２に出力する。
【００５９】
解析部２２では、測定信号入力部２１で切り出した測定信号を解析する。具体的には、解析部２２は、タイムストレッチトパルスやＭ系列信号から、演算によりインパルス応答を得る。また、解析部２２は、測定信号の遅延や周波数特性など、複数の情報を得る。測定信号の遅延から、適切な遅延時間設定が得られ、測定信号の周波数特性から、適切な特性補正パラメータが得られる。例えば、音声が、低音域スピーカユニットから、低音域スピーカユニットに最寄りの物体を経由して、受聴者に伝わる場合、音声の経路に応じて、遅延時間が変化する。また、低音域スピーカユニットの周辺に設置された物体の吸音率や形状に応じて、測定信号の周波数特性および音圧特性が変化する。信号処理部１２は、解析部２２による測定信号の解析結果に基づいて、入力信号を補正する。また、信号処理部１２は、測定結果に応じて、低音域スピーカ信号の周波数特性を補正してもよい。これにより、音響装置２１４は、入力信号をより良好に再生することができる。
【００６０】
なお、表示装置２の環境によっては、解析部２２は、著しく伝達時間が長い測定信号や、著しく音圧の低い測定信号を得る可能性がある。例えば、表示装置２が、極端に高い天井がある部屋や、極端に広い部屋に置かれている場合、著しく伝達時間が長い測定信号が得られる。また、部屋の壁の吸音率が高い場合や、部屋が外部に対して開いている場合、著しく音圧の低い測定信号が得られる。このような場合、制御部１５は、サラウンド音声信号の出力先を、低音域スピーカユニットから全帯域スピーカユニットへ切り替えてもよい。また、ある低音域スピーカユニットの応答が極端に異なる場合、サラウンド音声信号の出力先を、隣接する低音域スピーカユニットへ切り替えてもよい。
【００６１】
本実施形態の構成によれば、部屋の特性に応じて、低音域スピーカユニット２０１〜２１２から出力される低音域の音声信号を適切に調整することができる。また、再生環境の残響音をより自然に得られるため、受聴者の没入感をより高めることができる。
【００６２】
〔実施形態３〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００６３】
前記実施形態１では、表示装置１を前から見たときに、低音域スピーカユニット２０１〜２１２が、全帯域スピーカユニット１０１〜１１２の間にある構成（図２参照）を説明した。しかしながら、全帯域スピーカユニット１０１〜１１２と、低音域スピーカユニット２０１〜２１２との位置関係は、特に限定されない。
【００６４】
（表示装置の外観）
図５は、本実施形態に係る表示装置３の正面図である。図５に示すように、表示装置３は、前記実施形態１で説明した表示装置１の構成（図１参照）と比較して、音響装置３１４が備えた低音域スピーカユニット２０１〜２１２の位置が異なっている。より詳細には、前記実施形態１に係る表示装置１では、表示装置１を前から見たときに、低音域スピーカユニット２０１〜２１２は、全帯域スピーカユニット１０１〜１１２の間に配置されていた。一方、本実施形態に係る表示装置３では、表示装置３を前から見たときに、低音域スピーカユニット２０１〜２１２は、全帯域スピーカユニット１０１〜１１２と同じ位置に配置されている。
【００６５】
本実施形態の構成によれば、受聴者から見て、つまり表示装置３の表示画面１１３を前から見たとき、低音域スピーカユニット２０１〜２１２は、全帯域スピーカユニット１０１〜１１２と同じ位置にあるため、低音域スピーカユニット２０１〜２１２がより目立たなくなる。また、全帯域スピーカユニット１０１〜１１２と、低音域スピーカユニット２０１〜２１２とが近接しているため、音響装置３１４は、広い周波数帯域にわたって、全帯域スピーカユニットの近傍に音像を定位させることができる。
【００６６】
〔実施形態４〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００６７】
前記実施形態１では、表示装置１の表示画面１１３の周囲全体に、全帯域スピーカユニット１０１〜１１２および低音域スピーカユニット２０１〜２１２が配置された構成（図２参照）を説明した。また、前記実施形態３でも、同様の構成（図５参照）を説明した。しかしながら、他の実施形態に係る表示装置では、表示画面の周囲の一部に、スピーカユニットが配置されていてよい。また、表示装置に取り付けられるスピーカユニットの数も特に限定されない。
【００６８】
（表示装置の構成）
図６は、本実施形態に係る表示装置４の正面図である。図６に示すように、表示装置４では、表示画面１１３の上側および下側にのみ、音響装置４１４のスピーカユニット１０１〜１１０、２０１〜２０８が取り付けられている。また、表示装置４には、合計で１８（１０＋８）個のスピーカユニットが取り付けられている。なお、音響装置４１４は、前記実施形態３に係る表示装置３の表示画面１１３の横側に配置されたスピーカユニットの代わりに、表示装置４とは別体のスピーカユニット（図示せず）をさらに備えていてもよい。
【００６９】
表示装置４では、図９に示す１１個の音響チャンネルのうちの６個の音響チャンネル、すなわちＴｐＦＬ，ＴｐＦＣ，ＴｐＦＲ，ＢｔＦＬ，ＢｔＦＣ，ＢｔＦＲの音声信号は、それぞれ対応する位置にある全帯域スピーカユニットによって再生される。他の５個の音響チャンネル、すなわちＦＬ，ＦＬｃ，ＦＣ，ＦＲｃ，ＦＲの音声信号は、それぞれ上下方向に並んだ２つのスピーカユニットによって再生される。受聴者が、上下方向に並んだ全帯域スピーカユニットから等距離の位置で音声を聞くと、上下のスピーカユニットの中間から、音声が出力されているように感じる。
【００７０】
また、表示装置４では、図８の（ｂ）〜（ｄ）に示す、受聴者の周囲に位置付けられる１１個の音響チャンネルの音声信号は、各音響チャンネルの最寄りの低音域スピーカユニットによって再生される。具体的には、図８の（ｂ）に示す音響チャンネルＳｉＬ、ＢＬの音声信号は、低音域スピーカユニット２０１および２０５によって再生される。図８の（ｂ）に示す音響チャンネルＳｉＲ、ＢＲの音声信号は、低音域スピーカユニット２０５および２１２によって再生される。また、図８の（ｂ）に示す音響チャンネルＢＣの音声信号は、低音域スピーカユニット２０３および２１０によって再生される。図８の（ｃ）に示す音響チャンネルＴｐＳｉＬ、ＴｐＢＬの音声信号は、低音域スピーカユニット２０１によって再生される。図８の（ｃ）に示す音響チャンネルＴｐＳｉＲ、ＴｐＢＲの音声信号は、低音域スピーカユニット２０１および２０５によって再生される。図８の（ｃ）に示す音響チャンネルＴｐＢＣの音声信号は、低音域スピーカユニット２０１および２０３によって再生される。なお、サラウンド音声信号は、必ずしも最寄りの低音域スピーカユニットによって再生される必要はない。例えば、音響チャンネルＴｐＢＬの音声信号は、低音域スピーカユニット２０２によって再生され、音響チャンネルＴｐＢＲの音声信号は、低音域スピーカユニット２０４によって再生されてもよい。上記の構成では、受聴者がサラウンド音声信号により包み込まれるかのように、受聴者に感じさせることができる。
【００７１】
本実施形態の構成によれば、前記実施形態１または３の構成と比較して、表示装置４に取り付けられたスピーカユニット１０１〜１１０、２０１〜２０８の数が少ないので、表示装置４の見た目がスマートになる。
【００７２】
〔実施形態５〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００７３】
本実施形態では、表示画面の裏側にスピーカユニットを備えた表示装置の構成を説明する。
【００７４】
（表示装置の構成）
図７は、本実施形態に係る表示装置５の正面図である。図７に示すように、表示装置５では、前記実施形態４に係る表示装置４の構成（図６参照）に加えて、表示画面１１３の裏側に、音響装置５１４の低音再生用スピーカユニット３０１がさらに配置されている。低音再生用スピーカユニット３０１は、後ろ方向に音声を出力する。低音再生用スピーカユニット３０１から出力された音声は、部屋の壁や物体によって反射された後、拡散音声として、受聴者の耳に入る。
【００７５】
表示装置５は、前記実施形態４に係る表示装置４と比較して、表示画面１１３の上側および下側に配置された低音用スピーカユニットの数が少ない。換言すれば、表示装置５では、音響装置５１４の一部の低音域スピーカユニットが、表示画面１１３の上側および下側の代わりに、表示画面１１３の裏側に取り付けられている。
【００７６】
本実施形態の構成によれば、表示装置５の表示画面１１３の周囲に設けられたスピーカユニットの数が少ないので、表示装置５の見た目をスマートにすることができる。
【００７７】
（付記事項）
上述の実施形態において説明した表示装置とチューナとを備えたテレビジョン受像機も、本明細書に記載の発明に含まれる。
【００７８】
〔ソフトウェアによる実現例〕
音響装置１４、２１４、３１４、４１４、５１４の制御ブロック（特に入力部１１、信号処理部１２、増幅部１３、制御部１５、測定信号入力部２１、および解析部２２）は、集積回路（ＩＣチップ）等に形成された論理回路（ハードウェア）によって実現してもよいし、ＣＰＵ（Central Processing Unit）を用いてソフトウェアによって実現してもよい。
【００７９】
後者の場合、音響装置１４、２１４、３１４、４１４、５１４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８０】
〔まとめ〕
本発明の態様１に係る音響装置（１４、２１４、３１４、４１４、５１４）は、表示装置（１、２、３、４、５）の表示画面（１１３）の外側に配置される第１のスピーカユニット（全帯域スピーカユニット１０１〜１１２）および第２のスピーカユニット（低音域スピーカユニット２０１〜２１２）を備え、複数チャンネルの音声を出力する音響装置であって、前記第２のスピーカユニットは、前記第１のスピーカユニットが出力する音声の低音成分を出力し、前記第１のスピーカユニットおよび前記第２のスピーカユニットは、互いに異なる方向を向くように設けられている。
【００８１】
上記の構成によれば、第１のスピーカユニットと第２のスピーカユニットとが互いに異なる方向を向いているので、第１のスピーカユニットと対向する受聴者には、第２のスピーカユニットがあまり見えない。したがって、受聴者に、音響装置を細く見せることができる。
【００８２】
本発明の態様２に係る音響装置は、上記態様１において、前記第２のスピーカユニットは、当該音響装置から離れた場所にある仮想的な音源が生成する音場に対応する第２の音声をさらに出力してもよい。
【００８３】
上記の構成によれば、第２のスピーカユニットから出力される第２の音声は、音響装置が置かれた部屋の壁等で反射および拡散された後、様々な方向から受聴者の耳に入るので、音源が形成する音場に包まれているような臨場感を受聴者に与えることができる。
【００８４】
本発明の態様３に係る音響装置は、上記態様１または２において、前記第２のスピーカユニットのうちの少なくとも１つはバス・レフレックス型であり、前記バス・レフレックス型の第２のスピーカユニットの背後から出力される音声が、前記第１のスピーカユニットから出力される音声と同じ方向に出力されてもよい。
【００８５】
上記の構成によれば、少なくとも１つの第２のスピーカユニットの背後から出力される音声を、第１のスピーカユニットから出力される音声と同じ方向に出力することができる。
【００８６】
本発明の態様４に係る音響装置は、上記態様１から３のいずれかにおいて、前記複数チャンネルは、三次元マルチチャンネル音響方式に則っていてもよい。上記の構成によれば、三次元マルチチャンネル音響方式に対応する音声を出力することができる。
【００８７】
本発明の態様５に係る音響装置は、上記態様１から４のいずれかにおいて、前記第１のスピーカユニットは、前記表示画面の前方向に音声を出力し、前記第２のスピーカユニットは、前記表示画面の上下左右の方向のうち少なくともいずれか１つの方向に、前記音声の低音成分を出力してもよい。
【００８８】
上記の構成によれば、表示装置の表示画面の前にいる受聴者は、第１のスピーカユニットから出力される音声を直接的に聞くことができるとともに、第２のスピーカユニットから出力される音声が部屋の壁等で拡散または反射された音声を聞くことができる。そのため、画面に表示される映像と一体となった音場に包まれているような臨場感を受聴者に与えることができる。
【００８９】
本発明の態様６に係る音響装置は、上記態様１から５のいずれかにおいて、所定の周波数以下の音声を出力する場合、該所定の周波数を超える音声を出力する場合よりも多くの第２のスピーカユニットを用いて、音声を出力してもよい。
【００９０】
上記の構成によれば、所定の周波数以下の音声を多数の第２のスピーカユニットから出力することで、受聴者は、低音の定位をより感じ取りやすくなる。
【００９１】
本発明の態様７に係る表示装置（１、２、３、４、５）は、上記態様１〜６のいずれかの音響装置と、前記表示画面とを備えていてもよい。また、本発明の態様８に係るテレビジョン受像機は、上記態様６に係る表示装置を備えていてもよい。上記の構成によれば、上述したいずれかの音響装置と同様の効果を奏することができる。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９３】
１、２、３、４、５  表示装置
１１３  表示画面
１４、２１４、３１４、４１４、５１４  音響装置
１０１〜１１２  全帯域スピーカユニット（第１のスピーカユニット）
２０１〜２１２  低音域スピーカユニット（第２のスピーカユニット）
【図１】
2018046526.tif 000003
【図２】
2018046526.tif 000004
【図３】
2018046526.tif 000005
【図４】
2018046526.tif 000006
【図５】
2018046526.tif 000007
【図６】
2018046526.tif 000008
【図７】
2018046526.tif 000009
【図８】
2018046526.tif 000010
【図９】
2018046526.tif 000011
【図１０】
2018046526.tif 000012
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
表示装置の表示画面の外側に配置される第１のスピーカユニットおよび第２のスピーカユニットを備え、複数チャンネルの音声を出力する音響装置であって、
前記第２のスピーカユニットは、前記第１のスピーカユニットが出力する音声の低音成分と、当該音響装置から離れた場所にある仮想的な音源が生成する音場に対応する第２の音声とを出力し、
前記第１のスピーカユニットおよび前記第２のスピーカユニットは、互いに異なる方向を向くように設けられていることを特徴とする音響装置。
【請求項２】
前記第２のスピーカユニットのうちの少なくとも１つはバス・レフレックス型であり、前記バス・レフレックス型の第２のスピーカユニットの背後から出力される音声が、前記第１のスピーカユニットから出力される音声と同じ方向に出力されることを特徴とする、請求項１に記載の音響装置。
【請求項３】
前記複数チャンネルは、三次元マルチチャンネル音響方式に則っていることを特徴とする請求項１または２に記載の音響装置。
【請求項４】
前記第１のスピーカユニットは、前記表示画面の前方向に音声を出力し、
前記第２のスピーカユニットは、前記表示画面の上下左右の方向のうち少なくともいずれか１つの方向に、前記音声の低音成分を出力することを特徴とする請求項１から３のいずれか１項に記載の音響装置。
【請求項５】
所定の周波数以下の音声を出力する場合、該所定の周波数を超える音声を出力する場合よりも多くの第２のスピーカユニットを用いて、音声を出力することを特徴とする請求項１から４のいずれか１項に記載の音響装置。
【請求項６】
表示装置の表示画面の外側に配置される第１のスピーカユニットおよび第２のスピーカユニットを備え、複数チャンネルの音声を出力する音響装置であって、
前記第２のスピーカユニットは、前記第１のスピーカユニットが出力する音声の低音成分を出力し、
前記第１のスピーカユニットおよび前記第２のスピーカユニットは、互いに異なる方向を向くように設けられており、
所定の周波数以下の音声を出力する場合、該所定の周波数を超える音声を出力する場合よりも多くの第２のスピーカユニットを用いて、音声を出力することを特徴とする音響装置。
【請求項７】
請求項１から６のいずれか１項に記載の音響装置と、前記表示画面とを備えたことを特徴とする表示装置。
【請求項８】
請求項７に記載の表示装置を備えていることを特徴とするテレビジョン受像機。